Podtech/llm-jp-corpus-v4-ja_patent huggingface dataset:
(57)【要約】      （修正有）【課題】琴胴との密着性を向上し演奏の安定性を確保するとともに優れた音響性を発揮できる琴柱を提供する。【解決手段】和琴の胴表面に配置され音階を調節するための琴柱において、脚部底面の琴胴密着部表面に溝部を形成したことを特徴とする。前記溝部は琴胴密着部を横断しており、琴胴密着部表面を分割していることが望ましい。また、この溝部は弦支持溝に直交する方向に形成されていることが好適である。【選択図】図１
0003140002.tif 000002
【実用新案登録請求の範囲】
【請求項１】
和琴の胴表面に配置され音階を調節するための琴柱において、脚部底面の琴胴密着部表面に溝部を形成したことを特徴とする琴柱。
【請求項２】
前記溝部が琴胴密着部を横断しており、琴胴密着部表面を分割していることを特徴とする請求項１記載の琴柱。
【請求項３】
前記溝部が弦支持溝に直交する方向に形成されていることを特徴とする請求項１または２記載の琴柱。
【請求項４】
脚部の琴胴密着部が琴柱本体と異なる材質であることを特徴とする請求項１乃至３のいずれかに記載の琴柱。
【請求項５】
琴柱頂上部の弦支持部が琴柱本体と異なる材質であることを特徴とする請求項４記載の琴柱。
【請求項６】
前記琴胴密着部及び／または弦支持部が象牙であることを特徴とする請求項４または５記載の琴柱。
【考案の詳細な説明】
【技術分野】
【０００１】  本考案は、和琴に使用する琴柱の構造に関する。
【背景技術】
【０００２】  和琴の調律においては、琴胴の表面に弦の数だけ琴柱を配置し、弦の張力と弦を支持する琴柱の位置を調節することにより所定の音階を設定している。一般的な琴柱の形状については、特許文献１の図２に示されている。このような琴柱は、弦を支持するだけでなく、弦の振動を琴胴に伝達して共鳴を引き出すという重要な役割を持っている。琴柱の材質としては古来から象牙が用いられ、その硬度や音響伝達性ばかりでなく加工性も優れていることが知られている。【０００３】  しかしながら近年になって、絶滅危惧種を保護するためのワシントン条約により象牙の輸出入が厳しく制限されるようになったため、十七弦琴のような大型琴用の琴柱を一体的に形成できるような大きな象牙を入手することはほとんど不可能な状況になっている。たとえ入手できたとしても、価格が極めて高価になってしまう。【０００４】  このような状況を受けて最近では、アクリロニトリル・ブタジエン・スチレン樹脂や尿素樹脂のようなプラスチックで代替されるようになってきた。しかしながら、このようなプラスチック製は安価に製造できるものの、象牙に比べて弦との密着性が劣りクリアな音が出にくいほか、琴胴との密着性が悪く滑りやすいため音程のズレや音のビリつきが発生する。【０００５】  上記琴胴との密着性を改善するために、特許文献２による琴柱では、琴柱本体の底面に琴胴と接触するための３点の設置点を形成したものが開示されている。しかしながら、このような琴柱では音の伝達が脚部において左右対称ではなくなるため、良好な共鳴が得られにくい。また、脚部底面の琴胴との密着部が凸状に形成されているため、琴胴との密着性が悪く、琴演奏中に半音を出すために弦を押し込んだ際に琴柱がずれたり倒れたりする不具合が生じやすい。【０００６】
【特許文献】
【特許文献１】特開平６−２５０６４３号公報
【特許文献２】特開平８−３３５０７２号公報
【考案の開示】
【考案が解決しようとする課題】
【０００７】  上記従来技術に鑑みて本考案では、琴胴との密着性を向上し演奏の安定性を確保するとともに優れた音響性を発揮できる琴柱を提供することを課題とする。
【課題を解決するための手段】
【０００８】  上記課題を解決するため本考案による琴柱では、和琴の胴表面に配置され音階を調節するための琴柱において、脚部底面の琴胴密着部表面に溝部を形成したことを特徴とする。【０００９】  前記溝部は琴胴密着部を横断しており、琴胴密着部表面を分割していることが望ましい。また、この溝部は弦支持溝に直交する方向に形成されていることが好適である。【００１０】  また、少なくとも脚部の琴胴密着部が琴柱本体と異なる材質であることが望ましく、できれば琴柱頂上部の弦支持部もその材質を用いることが好適である。その材質としては、象牙が最も好ましい。
【考案の効果】
【００１１】  古来からの琴柱は、脚部底面の琴胴との密着部は平面或いは琴胴の曲面に合わせて若干凹面としてある。本考案による琴柱では、この琴胴密着部に溝部を形成して密着部表面を分割することにより、琴胴との接触点が片方の脚部について少なくとも２点以上となるため、琴柱としては４点以上の接触部が確保でき、琴胴との密着性が向上するばかりか、音のビリつきが防止でき演奏中に弦を押し込んだ際の安定性も確保される。【００１２】  本考案による琴柱ではまた、本体の大部分をプラスチック等の素材により形成し、弦支持部および／または琴胴との密着部のみに別の素材、望ましくは象牙を使用することにより、安価に製造できるばかりでなく、象牙の優れた音響性や密着性も維持することが可能となる。
【考案を実施するための最良の形態】
【実施例】
【００１３】  以下、図面に基づいて本考案の好適な実施例について説明する。図１は本考案による琴柱の実施例である。琴柱本体１は、アクリロニトリル・ブタジエン・スチレン樹脂や尿素樹脂のようなプラスチックで形成されている。琴柱の頂上部においては、弦支持溝３を含む弦支持部２の一部を象牙で形成して琴柱本体に接合している。【００１４】  また、両側の脚部５の底面における琴胴との密着部６の表面には溝部８を設け、琴胴密着部表面６を２つに分割している。これにより、琴胴と琴柱の密着性が向上し、ずれたりぐらついたりすることがなくなるため、音のビリつきを防止することが可能となる。【００１５】  さらに、本実施例においては琴胴密着部を含む脚部の一部を象牙により形成することにより音響の伝達性が向上し、また密着性もさらによくなる。【００１６】  以上、本考案の好適な実施例について説明したが、本考案の精神に従ってこのほかに多くの改変がなし得ることはいうまでもない。上記実施例においては、象牙を使用したが、象牙と性質の近いプラスチックやセラミックを使用することもできる。
【産業上の利用可能性】
【００１７】  本考案によれば、簡単な構造によって琴柱の安定性を向上することが可能となり、和琴の音響性を確保できるばかりか、一部を象牙材と接合することにより象牙製の琴柱と同等の音質を低価格で実現することができる琴柱を提供することが可能となり、貴重な資源である象牙を有効に利用することができる。
【図面の簡単な説明】
【００１８】
【図１】本考案の実施例を示す琴柱の斜視図である。
【符号の説明】
【００１９】１    琴柱本体
２    弦支持部
３    弦支持溝
４    象牙埋め込み部
５    脚部
６    琴胴密着部
７    象牙埋め込み部
８    溝部
【図１】
0003140002.tif 000003
(57)【要約】      （修正有）【課題】光量が不十分な場所でのデジタルカメラやビデオなどのデジタル撮影装置の撮影において、眩しい光を発せずに良好な画像を得る。【解決手段】光量不足により良好な画像を得られない場所において、フラッシュから不可視光のみを発し、それによって得た不可視光の画像を可視光の画像と合成し、良好な画像を得る。【選択図】図１
0003140009.tif 000002
【実用新案登録請求の範囲】
【請求項１】
不可視光を発するフラッシュ装置を有し、可視光と不可視光の画像を撮影できる固体映像素子を有し、可視光の画像と不可視光の画像を合成する計算機能を有する撮影装置。
【考案の詳細な説明】
【考案の詳細な説明】
【技術分野】
【０００１】本考案は、撮影装置に関するものである。
【背景技術】
【０００２】通常、撮影装置において、良好な画像を得るためには、ある程度の光量が必要で、光量不足の場合には、フラッシュ装置を使用して光量を補う方法が取られている。しかしながら、フラッシュ装置を使用すると、被写体は不快な眩しさを感じ、また、法事や公的な場所などの状況下では使用しにくい場合もある。
【考案の開示】
【考案が解決しようとする課題】
【０００３】眩しいフラッシュ装置を使用せず、良好な画像を得るものである。
【課題を解決するための手段】
【０００４】本考案は、不可視光を発するフラッシュ装置を使用し、得られた不可視光の画像と可視光の画像とを合成することで、問題点を解決している。
【考案の効果】
【０００５】眩しさを感じることなく、良好な画像が得られる。
【考案を実施するための最良の形態】
【０００６】紫外線ないし赤外線、または紫外線と赤外線の両方の不可視光を発することができるフラッシュ装置を有し、可視光と不可視光の画像を感度良く撮影できる固体映像素子を有し、可視光の画像と不可視光の画像をすばやく合成する計算機能を有する撮影装置であることが好ましい。
【図面の簡単な説明】
【０００７】
【図１】本考案のよって良好な画像を得る仕組みを表した図である。
【符号の説明】
１  可視光画像
２  不可視光画像
３  合成画像
【図１】
0003140009.tif 000003
(57)【要約】      （修正有）【課題】骨つぼを陶磁器製の単なるつぼではなく、個性的で、且つ個人を慈しむ供養感があり、更に納骨される故人が成仏し霊山往生できるつぼを提供する。【解決手段】亡き人が成仏し霊山往生できるという蓮の花を模った骨つぼとする。【選択図】図１
0003140010.tif 000002
【実用新案登録請求の範囲】
【請求項１】
つぼ本体に蓋を載置した形状を、蓮の花のつぼみを模った形状としてなる骨つぼ。
【請求項２】
つぼ本体に蓋を載置した形状を、蓮の花のつぼみを模った形状とすると共に、当該つぼの下端部に同じく蓮の花弁を模った台座を着脱自在に設けてなる請求項１の骨つぼ。
【考案の詳細な説明】
【技術分野】
【０００１】  本考案は、故人の遺骨を納骨する骨つぼの改良に関するものである。
【背景技術】
【０００２】  従来より骨つぼは白の陶磁器製の蓋付容器が一般的であり、格別に個性的な形状のものはみかけない。【０００３】  骨つぼの周面及び蓋に模様を描いたものは見かけるが、それは単に美観を対象とした模様であり、宗教的意味合いのある模様でもなかった。【０００４】  このように骨つぼは、先祖、故人の悠久の寝所などといわれながら、現在のほとんどの骨つぼが、単なる遺骨収納用の容器となっているのが現状ではないだろうか。【０００５】  仏教の代表的な花は蓮、蓮華であることは知られている。古代インドでは蓮は女性の母体（胎臓）と考えられ、多産・豊穣・幸運・繁栄・長寿・健康を表わしている。『霊山往生』とは浄土の蓮池に咲く蓮華の中で一瞬のうちに不思議な誕生をすることで、悟りを開いて仏になった証として仏様は蓮台に乗っておられます。お位牌の蓮華台を設けるのも、亡き人が成仏し霊山往生した証なのである。
【考案の開示】
【考案が解決しようとする課題】
【０００６】  解決しようとする問題点は、骨つぼを陶磁器製の単なるつぼではなく、個性的で、且つ納骨される亡き人が成仏し霊山往生できるつぼとすることが考案が解決しようとする課題である。
【課題を解決するための手段】
【０００７】  本考案は、亡き人が成仏し霊山往生できるという蓮の花を模った骨つぼとすること、これらが課題を解決するための手段である。
【考案の効果】
【０００８】  従来は陶磁器の単なる白いつぼであったが、本考案は、つぼ本体に蓋を載置した形状を、蓮の花のつぼみを模った形状としてなる骨つぼであり、更には、当該つぼの下端部に蓮の花弁を模った台座を設けつぼの安定化を図っているものであるから、外観的にも骨つぼが蓮の花のつぼみであることから豪華であり、また美麗である。しかも、当該骨つぼが蓮の花弁を模った台座に載置されて安定した状態となる。当該蓮花は納骨される亡き人が成仏し霊山往生できるといわれていることから、骨つぼとしても誠に意義がある等、極めて顕著なる効果を有するものである。
【考案を実施するための最良の形態】
【０００９】  本考案は、つぼ本体に蓋を載置した形状を、蓮の花のつぼみを模った形状としてなる骨つぼであり、更には、つぼ本体に蓋を載置した形状を、蓮の花のつぼみを模った形状とすると共に、当該つぼの下端部に蓮の花弁を模った台座を着脱自在に設けてなる請求項１の骨つぼを呈せんとするものである。
【実施例１】
【００１０】  骨つぼ１は陶磁器製とし、当該骨つぼ本体１と蓋２を合わせた状態で蓮の花のつぼみを模った形状としている。当該蓮の花のつぼみの形態は、もう少し開花した状態としてもよく、実施例の形態に限定を受けるものではない。
【実施例２】
【００１１】  骨つぼ１は陶磁器製とし、当該骨つぼ本体１と蓋２を合わせた状態で蓮の花のつぼみを模った形状とすると共に、当該骨つぼ１を、蓮の花弁を模った台座３に載置するように構成している。当該台座３は着脱自在としている。【００１２】  本考案においては蓮の花のつぼみを模った骨つぼとしているが、その他にも出願人は桜等、その他の花のつぼみとか、桃等の果実を模った骨つぼも製作している。
【産業上の利用可能性】
【００１３】  本考案は、つぼ本体１に蓋２を載置した形状を、蓮の花のつぼみを模った形としてなる骨つぼ１であり、更には、つぼ本体１に蓋２を載置した形状を、蓮の花のつぼみを模った形とすると共に、当該つぼ１の下端部に蓮の花弁を模った台座３を着脱自在に設けてなる請求項１の骨つぼであるから、本考案に係る蓮の花のつぼみをかたどった骨つぼ１に納骨される亡き人は成仏し霊山往生できるといわれているし、骨つぼとしても誠に意義があり、また外観も極めて美麗となる上に、特に台座３を同じく蓮の花の花弁を模った形状としているので、骨つぼ１との違和感もなく、しかも骨つぼ１がどっしりとした重量感が得られる等、産業上での利用可能性は極めて大きいものがある。
【図面の簡単な説明】
【００１４】
【図１】  台座に安置した骨つぼの正面図
【符号の説明】
【００１５】  １  骨つぼ
２  蓋
３  台座
【図１】
0003140010.tif 000003
(57)【要約】      （修正有）【課題】小型で効果的に捕獲できる猿罠を提供する。【解決手段】罠の上部にミゾ部を設けそのミゾの中にロープを隠しえさが雨水で腐らないように水抜きの穴を設け山林内の立木に罠本体を括りつける事により猿が安心するようにした。罠はロープが見えないので、猿は安心して手を入れ中の餌を取ろうとＹ字型ロープ４に触れるとリングが働いてピンが外れて猿の手を括る。【選択図】図３
0003140006.tif 000002
【実用新案登録請求の範囲】
【請求項１】
猿の手を括るロープを上から見ても見えないように本体１のミゾ１７にロープ３がかくれるように設置されており、本体に雨水が溜まって中のエサが腐敗しないように水抜きの穴を設け立木に本体を固定するように縛り付けるロープを有し１８の筒部の中に９の押しバネを利用してかくしてあるロープで猿の手を括るようにしたる猿罠。
【考案の詳細な説明】
【技術分野】
【０００１】  小型で猿の手を括って捕らえる猿罠に関する考案
【背景技術】
【０００２】  従来の猿の捕獲罠は金網で造った箱罠又はくくり罠であった
【考案の開示】
【考案が解決しょうとする課題】
【０００３】  従来の箱罠は大きくて金網で作った檻又はくくり罠は仕掛けが見えるので猿が用心して入らないのでその欠点を解決しょうとするものである
【課題を解決するための手段】
【０００４】  本考案は超小型でありしかも檻と違って、立木に取付ける事により、猿が安心してエサを食べるようにしたことにより問題点を解決している
【考案の効果】
【０００５】  上述のように、本考案の猿罠は超小型成るが故、１０ケ位の罠をもって山中を移動する事ができる。
【考案を実施する為の最良の形態】
【０００６】本考案は猿罠本体の内側の底部に猿の好きなエサを入れて猿罠本体の内側上部にミゾを設けそのミゾにロープをかくし山林の立木に猿罠本体を括り付けて置き、押しバネを利用してエサを取ろうとした猿の手を括るようにし本体の底部に水抜きの穴を設けて中のエサが腐敗しないように考案したものである。
【図面の簡単な説明】
【０００７】
【図１】  本体をセットした正面図
【図２】  本体をセットする前の正面図
【図３】  セットした本体の右側断面図
【図４】  本体をセットする直前の側面図
【図５】  本体をセットした後面図
【図６】  図５の反面図
【符号の説明】
［図１］の１は猿罠の本体
２は水抜きの穴
３は猿の手を括る針金又はロープ
４はＹ字形ロープのセンサーの役目をしている
５は３ロープのストッパーである
６と７は罠をセットする際の安全装置である
８は立ち木に反対を縛りつける針金又はロープである
［図２］の９は猿の手を括るロープを〆る押しバネである
１０は罠をセットする際のピンである
［図３］の１２のロープに通してある１０のピンを１３のロープに引きかけて半回転させ          てその先端を１４のリングの中に差し込む
１４は４のロープの先端につけられたリングで４を引張る事により１０のピン          からはずれる事により３のロープにて猿の手を縛ることに成る
１５は猿を寄せる為のエサ
１６は猿の手
１７は猿の手を括るロープをかくすミゾ
［図５］の１１は８のロープを固定しておく為のベルト通し
【図１】
0003140006.tif 000003
【図２】
0003140006.tif 000004
【図３】
0003140006.tif 000005
【図４】
0003140006.tif 000006
【図５】
0003140006.tif 000007
【図６】
0003140006.tif 000008
(57)【要約】      （修正有）【課題】子供特に赤ちゃんや幼児が、親の気がつかないところで靴下を脱いでしまっても、紛失することを防止する。【解決手段】子供用靴下のかかとを伸縮性の紐でつないで着用すること。【選択図】図１
0003140005.tif 000002
【実用新案登録請求の範囲】
【請求項１】
子供用の靴下を紛失しないように、伸縮性の紐でつなげた『つなっがている靴下』。
【考案の詳細な説明】
【技術分野】
【０００１】  本考案は、伸縮性の紐でつなげた、子供用靴下に関するものである。
【背景技術】
【０００２】  子供、特に赤ちゃんから幼児の時期は、靴下が脱げ易く、片方を紛失することが多い。また、抱っこやベビーカーに乗せている時に靴下を落としてしまっても、親が気づかないことが多く、残った片方の靴下も使えなくなってしまう。
【考案の開示】
【考案が解決しようとする課題】
【０００３】  子供が、親の知らない間に片方もしくは両方の靴下を脱いだとしても、紛失しないようにすること。
【課題を解決するための手段】
【０００４】  靴下同士を伸縮性の紐でつなぎ、これを子供のズボンに通して履かせる。
【考案の効果】
【０００５】  子供が靴下を脱いだり、何らかの拍子に脱げたりしても、紐でつながっていることにより紛失しない。また、伸縮性の紐を使用することにより、子供も動きやすい。
【考案を実施するための最良の形態】
【０００６】  靴下の後部に伸縮性の紐をつけて両方をつなげる。つながっている靴下を子供に履かせ、その上からズボンを履かせる。紐の長さは、子供の股下に合わせる。
【実施例】
【０００７】  以下、添付図面に従って説明する。図１のように、靴下の後部に伸縮性の紐をつける。図２のようにズボンに紐を通すように履くことで、靴下が脱げても紛失することはない。
【産業上の利用可能性】
【０００８】  子供用手袋は、つながっているものも多い。これは紛失を防ぐためである。同様の理由で、つながっている靴下も、需要があるはずである。
【図面の簡単な説明】
【０００９】
【図１】本考案の、つながっている靴下の図である。
【図２】本靴下の使用例である。
【図１】
0003140005.tif 000003
【図２】
0003140005.tif 000004
(57)【要約】【課題】掛け軸に名言や名所を印刷し、それにデジタル画像を印刷した特産品を貼り付けてオリジナルなおみやげ品として提供する。【解決手段】掛け軸には大きさのちがう台紙となる和紙に装飾を行い、名言・名句や唄なぞと名所の画像等をファイルの中より選び和紙に直接的に印刷し、また特産品にもデジタルカメラや携帯電話のカメラで取ったデジタル画像を特産品に直接的に印刷して台紙のなる和紙に貼り付け装飾性を高めた特色のある掛け軸に関する。【選択図】図１
0003140053.tif 000002
【実用新案登録請求の範囲】
【請求項１】
掛け軸に和紙を用い、各種サイズにそれぞれ装飾を施した掛け軸。
【請求項２】
請求項１記載の掛け軸において、和紙の表面に名言や名所の画像を直接印刷した特色のある掛け軸。
【請求項３】
請求項１又は請求項２記載の掛け軸において、特産品を加工しその表面にデジタル画像データーを印刷した画像印刷物又は写真のうち少なくとも１つを直接に印刷した特産品を掛け軸に貼ったことを特徴とする掛け軸。
【請求項４】
請求項１〜３のいずれかに記載の掛け軸において、飾り易いように加工及び添え物を周辺に装飾を施した掛け軸。
【考案の詳細な説明】
【技術分野】
【０００１】本考案は、掛け軸に係わり、詳しくは、台紙となる和紙に装飾を行い、名言や唄なぞと名所の画像を直接的に印刷し、また特産品にもデジタル画像を直接的に印刷して貼り付け装飾性を高めた特色のある掛け軸に関する。
【背景技術】
【０００２】従来、観光地等で売られているペナント・タペストリーや掛け軸は名所の絵や名言などが同じ様な模様でオリジナル性の高い商品がなく価格も高価で満足度が得られない。
【考案の開示】
【考案が解決しようとする課題】
【０００３】しかしながら、上記のようなみやげ品にあっては、以下のような問題点があった。
（１）布製のペナント・タペストリーや掛け軸は、文字や絵を描いているがオリジナリテーには乏しく高価である。
（２）名所の写真や名言集はセットになっており、要らないものまで入っており観光客は無駄な買い物をしなければならない。
（３）特産品には同じ様な物で特徴がなく、特産品に特殊な加工を施したものは芸術性があるが、価格が高価で観光客が簡単に買えるようなものではない。
（４）上記おみやげ品は個別で売られており、別々に求める煩わしさがありまた飾るにも見栄えが良くない。【０００４】つまり、今売られているおみやげ品は観光客が別々に買い求める必要があり、またデザインも同じ様で特徴がなく観光客を満足させることは出来なく、観光客が直ちに買いたいと思えるものではなかった。
そこで本考案の掛け軸には和紙を台紙として使用し、その和紙に印刷する名言や唄それと名所・名物の画像を観光客に選んでもらい和紙に直接印刷する。さらに特産品にも観光客の好みのデジタル画像を直接特産品に印刷配置し、台紙の和紙に貼り付け思い出にも残るオリジナルなみやげ品を提供することを目的とする。
【課題を解決するための手段】
【０００５】前述の課題を解決するための本考案にかかる掛け軸の構成は、台紙には何種類かの厚さと大きさの違う和紙を用い、その和紙の表面に特徴のある装飾を施し調和するように配置した点に存するものである。【０００６】前述の和紙の台紙の表面にその地に関る名言、名句、ものがたりや唄等の文面とその地の名所・風景・歴史上の人物・地図・イラスト画等の画像を選んでもらい、その和紙の表面に調和するように印刷した画像印刷物又は写真のうちの少なくとも１つが背景の装飾物と調和するように配置した点に存するものである。【０００７】掛け軸に貼り付ける造形物の特産品は、観光客のデジタル画像データーを直接に印刷した画像印刷物又は写真のうち少なくとも１つを装飾性に優れた物にして、調和するように和紙の台紙に貼り付けて配置した点に存ずるものである。【０００８】前述の造形物の特産品は、地域の名産品・工芸品・名物品などを形にしたものである。【０００９】本考案にかかる掛け軸においては、飾り易いように加工又は添え物を周辺に装飾し施した点に存ずるものである。
【考案を実施するための最良の形態】
【００１０】以下、本考案による掛け軸や特産品に印刷実施の形態について図１〜図３を参照して説明する。
掛け軸の台紙に各種の文字の文面と名所の写真画像をリストの中より選んで調和を保ちながら直接印刷し、特産品の造形物を貼り付けたものである、その特産品の造形物にデジタルカメラや携帯電話のカメラで取ったデジタル画像データーを特産品にプリンターで直接カラー印刷するものである。上記３件を台紙上に調和するように配置し飾り易いように加工及び添え物を周辺に装飾するものである。
【考案の効果】
【００１１】以上説明したように本考案の製品は持ち運びが簡単で室内に飾っても装飾性にもすぐれ、オリジナリテーに富み、思い出にもなる最適な商品です。観光客の要望が十分反映された掛け軸に満足度が得られ、購入に結び付く物と思われます。また地元産の和紙と特産品の使用は観光客にアピール出来る点においても効果があると思えるようなものとなる。
【図面の簡単な説明】
【００１２】
【図１】和紙を台紙にした掛け軸に文字や名所の画像の印刷と特産品を貼り付けた事を示す図である。
【図２】特産品にデジタル画像を貼り付けた実施例
【図３】特産品にデジタル画像を印刷する実施例。
【符号の説明】
【００１３】１：掛け軸本体
２：文字・名言・物語等の画像
３：名所・風景・イラスト等の画像
４：特産品の造形物
５：特産品に印刷したデジタル画像
【図１】
0003140053.tif 000003
【図２】
0003140053.tif 000004
【図３】
0003140053.tif 000005
(57)【要約】【課題】    本考案は、棒の先にヘラ状のものを付けた器具により、梯子を使わずに屋根の雨樋の掃除を可能にさせるものである。【解決手段】地上から雨樋まで届く棒の先に、ヘラ状のものを付けた器具で雨樋のゴミをかき出すものである。【選択図】図１
0003140056.tif 000002
【実用新案登録請求の範囲】
【請求項１】
棒の先にヘラ状のものを付けた雨樋掃除器具
【請求項２】
伸縮する棒の先にヘラ状のものを付けた雨樋掃除器具
【考案の詳細な説明】
【技術分野】
【０００１】  この考案は、棒の先にヘラ状のものを付けた雨樋用の掃除器具である。
【背景技術】
【０００２】  従来、屋根の雨樋の掃除は梯子を掛けて行われていた。
【考案の開示】
【考案が解決しようとする課題】
【０００３】  梯子を掛けて雨樋を掃除した場合、掃除箇所の移動に伴い、梯子を移動させる手間がかかった。
【課題を解決するための手段】
【０００４】  地上から雨樋まで届く棒の先にヘラ状のものを付けた器具により、梯子を必要とせず、雨樋の掃除ができる。
【考案の効果】
【０００５】  梯子を使わず、地上に居ながら雨樋のゴミをかき出すことができる。
【考案を実施するための最良の形態】
【０００６】  棒の先に、下向きにヘラ状のものを取り付けて、雨樋のゴミをかき出すことができる。
【実施例】
【０００７】  棒の長さは地上から雨樋まで届く長さとし、下向きに付けられたヘラ状のもので、ゴミをかき出すことができる構造である。
【図面の簡単な説明】
【０００８】
【図１】  本考案の斜視図である。
【符号の説明】
【０００９】  １  棒
２  ヘラ状のもの
【図１】
0003140056.tif 000003
(57)【要約】【課題】  本考案は、既存する効果的な水戸口受けに変わるものがないことから、地面の洗堀および幼苗の流れを防止し、畦も壊れず手直しをする必要がなく不燃米等が発生しない有効な水戸口受け台を提供することを課題とする。【解決手段】  本考案は、合成樹脂板で形成する上面が開口したＬ字形状台本体の側面に、排水口を施す直角台形状板を前方側面の横辺部全辺および直角台形状板の下底辺部が底部横辺部の直線延長上の約２分の１に亘って内側に向けて施し、長方形状横架材板を前方側面の上辺部および直角台形状板の上底辺部全辺に亘って内側に向けて施し、略中央に流水する水を受けて台内に導く連結管の流入口を備え付けるために後方側面上辺部の中央に凹形状の溝を施し、底部後方横辺部沿いに台の浮き防止に円形状の杭穴を二箇所開けて輪付き杭を備え付けて、台の移動防止には底部の前方辺部外側の角隅に二本および後方辺部外側隅に二本の合計四本の直角板棒脚足を施した水戸口受け台。【選択図】図１
0003140012.tif 000002
【実用新案登録請求の範囲】
【請求項１】
本考案は、合成樹脂板で形成する上面が開口したＬ字形状台本体の側面に、排水口を施す直角台形状板を前方側面の横辺部全辺および直角台形状板の下底辺部が底部横辺部の直線延長上の約２分の１に亘って内側に向けて施し、長方形状横架材板を前方側面の上辺部および直角台形状板の上底辺部全辺に亘って内側に向けて施し、略中央に流水する水を受けて台内に導く連結管の流入口を備え付けるために後方側面上辺部の中央に凹形状の溝を施し、底部後方横辺部沿いに台の浮き防止に円形状の杭穴を二箇所開けて輪付き杭を備え付けて、台の移動防止には底部の前方辺部外側の角隅に二本および後方辺部外側隅に二本の合計四本の直角板棒脚足を施した水戸口受け台。
【考案の詳細な説明】
【技術分野】
【０００１】  この考案は、水稲を栽培する際に、農業用水を用水路から水田に水を引き込む連結管を通じて水戸口に流れ込む水を受け台で中継して緩和された水流が受け台の横側に排水する特長の水戸口受け台である。
【背景技術】
【０００２】  従来は、用水路から水田に水を引く際に水戸口が水流で地面が洗堀されないように水流を緩和するためにコンクリート台を設置し、幼苗の流出には車の古タイヤを利用し、畦が壊されないようにムシロやビニールシートを覆って使用しているのが現状である。
このことから、水戸口が水流により地面が洗堀されないものおよび田植後の幼苗が流されないもの、また、畦が壊れないもの、さらに不燃米が発生しない水戸口が望まれている。
【考案の開示】
【考案が解決しょうとする課題】
【０００３】  前記述のとおり、既存する効果的な水戸口で受けるものがないことから、水圧で地面が洗堀され、田植後の幼苗が流され、畦も壊れ、不燃米は水戸口付近が常時冷水により１ｈａの水田で水流が直進する長さは１３ｍ、幅４ｍに亘り生育不良となり、１ｈａで約０．５％の被害に及ぶことから品質の悪化、収穫量減少にも影響しているのが現状である。
そこで、この考案は、軽量で、簡単に設置ができ、地面の洗堀および幼苗の流れを防止でき畦も壊れず手直しをする必要がなく不燃米等が発生しない有効な水戸口受け台を提供することを課題とする。
【課題を解決するための手段】
【０００４】  以上の課題を解決するために、本考案は、合成樹脂板で形成する上面が開口したＬ字形状台本体の側面に、排水口を施す直角台形状板を前方側面の横辺部全辺および直角台形状板の下底辺部が底部横辺部の直線延長上の約２分の１に亘って内側に向けて施し、長方形状横架材板を前方側面の上辺部および直角台形状板の上底辺部全辺に亘って内側に向けて施し、略中央に流水する水を受けて台内に導く連結管の流入口を備え付けるために後方側面上辺部の中央に凹形状の溝を施し、底部後方横辺部沿いに台の浮き防止に円形状の杭穴を二箇所開けて輪付き杭を備え付けて、台の移動防止には底部の前方辺部外側の角隅に二本および後方辺部外側隅に二本の合計四本の直角板棒脚足を施して水戸口に設置して使用するものである。
【考案の効果】
【０００５】  本考案は、水稲栽培する際に、用水路等から連結する連結管等を通じて直接水戸口に流入する水を水戸口受け台に中継し、水流が前方側面に当たり直角台形状板に施す前方排水口および長方形状横架材板により逆流した水が後方側面に当たり水流が緩和され後方排水口から横側に排水されるので地面の洗堀および幼苗の流れを防止し、畦も壊れず、水戸口付近の冷水が排水口から横側に排水されるために対流作用によって水田の中央の温水を輪の内側に抱き込むように回流されて全体の水温が平均化され収穫量の減少および不燃米等の発生による品質悪化にも影響を与えないことから極めて有効である。
なお、水田一枚約１．５ｈａで一箇所の水戸口でも十分対応できる。
【考案を実施するための最良の形態】
【０００６】  考案の実施形態を図１で示す。
本体は、合成樹脂板で形成する上面が開口したＬ字形状台本体で厚さが約０．７ｃｍ、大きさは底部３で縦幅約３４ｃｍ×横幅約３４ｃｍ、前方側面１の高さ約１５ｃｍ、後方側面４の高さ約７ｃｍであり後方側面４の上辺部に、略中心部に流れ込む連結管の流入口を備え付ける溝となる長さ約１３ｃｍ、深さ約３ｃｍの凹形状溝５を施し、台本体の側面に縦５ｃｍ、横約７ｃｍの前方排水口１０を施す直角台形状板２を高さ約１７ｃｍ、上底約４ｃｍ、下底約１４ｃｍ、斜辺約１８ｃｍを前方側面１辺部全辺および底部３横辺部の約二分の一に亘って施し、連結管の流入口から流入する水が前方側面１上辺部から直進しないように後方側面４に逆流させる長方形状横架材板１１を前方側面１上辺部および直角台形状板２の上底辺部全辺に亘って施して後方側面４に当たり水流を緩和させ後方排水口９から横側に排水するようにして、台本体の浮き防止には底部３後方横辺部沿いの内側に円型状の直径約１ｃｍの杭穴７を開け、輪付き杭８太さ約０．７ｃｍ、長さ約１５ｃｍ、を備え付けて、台本体が水流により前方向に移動を防止するために前方側面１辺部外側の角隅に二本および後方側面４辺部の角隅に二本の合計四本を長さ約３ｃｍの直角板棒脚足６を施した水戸口受け台である。
なお、本実施例は、本体をＬ字形状台で合成樹脂製板の素材であるが、これ以外の形状ならびに材質は鉄製板あるいは木製板等の使用も当然可能である。
【産業上の利用可能性】
【０００７】本考案は、水稲等を栽培する際に、用水路から連結管の流入口から入る水を水戸口受け台に中継して水流を緩和して台の横側に排水するもので水戸口等に設置して使用する。
【図面の簡単な説明】
【０００８】
【図１】考案の実施形態を示す斜視図である。
【符号の説明】
【０００９】    １  前方側面
２  直角台形状板
３  底部
４  後方側面
５  凹形状溝
６  直角板棒脚足
７  杭穴
８  輪付き杭
９  後方排水口
１０  前方排水口
１１  長方形状横架材板
【図１】
0003140012.tif 000003
(57)【要約】      （修正有）【課題】お玉杓子湾曲凹部内側の水気を排除し、お玉杓子を常時清潔に使用待機することが出来る水切りフックの提供。【解決手段】お玉杓子を倒立させ前向きにし、お玉杓子と柄が接合した首部を引っ掛けたとき、お玉杓子の湾曲凹部内側が下を向くフックを作る。水切りフック本体垂直下部から曲がって立上がる２本のフックを作る。２本のフック間隔は、お玉杓子を倒立させ前向きにし、お玉杓子と柄が接合する首部の横幅以上とする。フック２個の長さは、立上がった２個のフックの先端がお玉杓子湾曲凹部内側にとどいた長さにする。２個のフックが曲がって立上がる内角度は、立上がったフックの先端をお玉杓子湾曲凹部内側にとどいた状態保持のままお玉杓子湾曲凹部内側が下を向く角度に調節して決める。【選択図】図１
0003140013.tif 000002
【実用新案登録請求の範囲】
【請求項１】
（１）  耐水耐腐食の材質で作る。
（２）  「お玉杓子水切りフック」本体は、１個又は複数個で形成され、お玉杓子の柄を引っ掛ける部分は２個の立上がりフックから成る。
（３）  「お玉杓子水切りフック」に、お玉杓子を倒立させ前向きにしお玉杓子と柄が接合する首部を引っ掛けたとき、お玉杓子の湾曲凹部内側は下を向く。
（４）  「お玉杓子水切りフック」の先端部は半球体形である。
（５）  「お玉杓子水切りフック」本体垂直下部から曲って立上がる２個のフックの長さは、お玉杓子湾曲凹部内側の形状が多種多様に亙るので立上がった２個のフックの先端がお玉杓子湾曲凹部内側にとどいた長さにする。
（６）  「お玉杓子水切りフック」本体垂直下部から２個のフックが曲って立上がる内角度は、お玉杓子の形状が多種多様に亙るので立上がった２個のフックの先端がお玉杓子湾曲凹部内側にとどいた状態を保持したままでお玉杓子湾曲凹部内側が下を向く角度に調節して決める。
（７）  「お玉杓子水切りフック」の取付け部は、取付ける環境材のあらゆる形状に対応出来、かつ固定できる形態構造を有する。
以上の如く構成された「お玉杓子水切りフツク」。
【考案の詳細な説明】
【考案の詳細な説明】
【産業上の利用分野】
【０００１】  「お玉杓子水切りフック」に、お玉杓子を倒立させ前向きにしお玉杓子と柄が接合している首部を引っ掛けて使用待機したとき、お玉杓子の湾曲凹部内側は下を向き水気をすべて排除するので、お玉杓子は常に清潔な状態を保持出来て衛生的である。
【背景技術】
【０００２】  従来の技術は、お玉杓子部を下にし、柄の上部にある穴等をフックに引っ掛け使用待機したので、お玉杓子は懸垂して湾曲凹部内側が上向きになり、従ってお玉杓子の湾曲凹部内側に水気が溜まったままになることが多く衛生上好ましくなかった。
【考案が解決しようとする課題】
【０００３】  お玉杓子をフックに引っ掛けたとき、お玉杓子から水気を排除出来る機能を持ったフックは今までなかった。本考案は、この欠点を解決したフックである。
【課題を解決するための手段】
【０００４】  課題を解決するためには、お玉杓子を倒立させ前向きにしお玉杓子と柄が接合した首部を引っ掛けたとき、お玉杓子の湾曲凹部内側が下を向くフックを作ればよい。
（１）  「お玉杓子水切りフック」本体垂直下部から曲って立上がる２本のフックを作る。
（２）  「お玉杓子水切りフック」本体垂直下部から曲って立上がる２本のフック間隔は、お玉杓子を倒立させ前向きにしお玉杓子と柄が接合する首部の横幅以上を有する。
（３）  「お玉杓子水切りフック」本体垂直下部から曲って立上がるフック２個の長さは、お玉杓子湾曲凹部内側の形状が多種多様に亙るので、立上がった２個のフックの先端がお玉杓子湾曲凹部内側にとどいた長さにする。
（４）  「お玉杓子水切りフック」本体垂直下部から２個のフックが曲って立上がる内角度は、お玉杓子湾曲凹部内側の形状が多種多様に亙るので、立上がったフックの先端をお玉杓子湾曲凹部内側にとどいた状態保持のままお玉杓子湾曲凹部内側が下を向く角度に調節して決める。
【作用と実施例】
【０００５】  （１）  本考案の作用は、お玉杓子を倒立させ前向きにし、お玉杓子と柄が接合する首部を「お玉杓子水切りフック」に引っ掛けたとき、お玉杓子湾曲凹部内側は下を向き水気を排除するのでお玉杓子はいつも清潔に使用待機できる。
（２）  本考案の実施例は、厨房のパイプ棚や調理用具引っ掛け板・突き出し棚の底板等に取付ければ便利かつ清潔に使用待機できる。
【考案の効果】
【０００６】  本考案の効果は、お玉杓子湾曲凹部内側の水気を排除するので、お玉杓子は常時清潔である。
【図面の簡単な説明】
【図１】  本考案の正面図
【図２】  本考案の側面図
【符号の説明】
［図１］〜［図２］の
▲１▼は、「お玉杓子水切りフック」本体
▲２▼は、お玉杓子本体
▲３▼は、「お玉杓子水切りフック」本体下部から曲って立上がったフック
▲４▼は、お玉杓子と柄が接合する首部
▲５▼は、お玉杓子の柄
▲６▼は、「お玉杓子水切りフック」本体の垂直下部
▲７▼は、「お玉杓子水切りフック」本体の垂直下部から曲って立上がったフックの先端
▲８▼は、「お玉杓子水切りフック」本体の取付け部
▲９▼は、お玉杓子湾曲凹部内側
【図１】
0003140013.tif 000003
【図２】
0003140013.tif 000004
(57)【要約】      （修正有）【課題】Ｃ型止め輪端部に角度を持たせ、その部分に脱着用穴を設け、軸側面より脱着を容易にする。【解決手段】Ｃ型止め輪１端部に角度を持たせ、その部分に脱着用穴１ａを設け、軸２側面より治具３の先端部３ａを穴１ａに入れ、２つの穴１ａの間隔を広げ、溝に接地させた後、治具３の先端部３ａを側面より、２つの穴１ａより抜くことで軸２に固定される事により、軸２側面部よりＣ型止め輪１を脱着する事が可能となる。【選択図】図３
0003140015.tif 000002
【実用新案登録請求の範囲】
【請求項１】
Ｃ型止め輪本体分割部の端部を延長し、ほぼ本体と垂直に延長部を曲げ、その延長部に２つの穴を設け、対象とする軸に対して側面部より脱着自在としたところを特徴とするＣ型止め輪。
【考案の詳細な説明】
【技術分野】
【０００１】  本考案は、端部に角度を持たせ、その部分に脱着用穴を設けた、Ｃ型止め輪に関するものである。
【背景技術】
【０００２】  軸、または穴よりＣ型止め輪を脱着する際に、脱着穴に対して、軸、穴に沿って工具先端部を平行にする必要があった。
【考案の開示】
【考案が解決しようとする課題】
【０００３】  従来、Ｃ型止め輪は対象とする軸、または穴に対して並行に脱着用穴がついていたが、軸、穴を側面より治具又は工具を使用して脱着をする際に、穴位置を確認するのが困難だった。また場合に依っては、工具の先端部角度を使用しなくてはならず、専用工具も必要な場合がある。従って、Ｃ型止め輪の先端部に角度を付け、穴部を設けることにより、確実に側面で穴部を確認する事が可能になり前述の欠点を解決しようとしたものである。
【課題を解決するための手段】
【０００４】  本考案は、従来のＣ型止め輪穴部本体を延長し、その延長された本体に角度を付け、側部から目視確認できる脱着用穴を設けることにより、治工具を容易に入れることが可能となる事で脱着の容易さ、且つ、治工具は従来の角度を持たないＣ型止め輪用を使用できる点で問題点を解決している。
【考案の効果】
【０００５】  上述の様に、本考案の角度付脱着用穴を持つＣ型止め輪は従来の軸と穴に平行な使用も可能であることは無論、側面側にも脱着用穴を設けたので、側面から脱着作業を強いられる場合、確実に正面で脱着用穴を確認する事ができ、楽に脱着が可能となる。しかも従来のストレート型の治工具のみで脱着が容易になるため、脱着用の装備も軽減され装備費コストを下げる事が可能となる。
【考案を実施するための最良の形態】
【０００６】  Ｃ型止め輪本体を見たとき側面の２つの穴が、従来のＣ型止め輪に対してほぼ垂直に配置される。治工具を２つの穴に差込、広げることで軸から接面が離れる。この状態で脱着が自在になる。
【実施例】
【０００７】  以下、添付図面に従って一実施例を説明する。１は耐久性の金属等の適宜素材にて一体化形成されたＣ型止め輪本体、２は対象となる軸、その軸２の２ａはＣ型止め輪１が入る溝部で、３の治具先端部３ａを側面よりＣ型止め輪１側部２つの１ａ穴へ差し込む。【０００８】  治具３先端部３ａを１ａの穴間を広げるようにしたまま、軸２を通し、軸の溝部２ａ上へ運び、治具３を緩め、溝部２ａへＣ型止め輪１を接地させ、治具３の先端部３ａを２つの穴１ａより抜く。【０００９】  本考案の一実施例は上述の通り、軸２側面よりＣ型止め輪１が装着する事が出来る。
【図面の簡単な説明】
【００１０】
【図１】本考案の実施例を示す斜視図である。
【図２】本考案の実施例を示す斜視図である。
【図３】本考案の実施例を示す斜視図である。
【符号の説明】
【００１１】  １  Ｃ型止め輪本体
２  軸
３  治具
【図１】
0003140015.tif 000003
【図２】
0003140015.tif 000004
【図３】
0003140015.tif 000005
(57)【要約】      （修正有） 【課題】簡単、確実に死後の口の開きを防止でき、かつ見栄え良くする死者用顎弛緩防止器具を提供する。【解決手段】頭当て部１と顎当て部を有する帯状体２を供えた死者用顎弛緩防止器具において、顎当て部に口元部を覆う覆い部３と帯状体とを一体的に設けたものである。これにより各人の顎の形状に左右されることなく、確実に顎の弛緩を防止できるとともに、顎の締め付け部が隠れるようになるので見栄えも良くすることができる。【選択図】図１
0003140071.tif 000002
【実用新案登録請求の範囲】
【請求項１】
頭当て部と顎当て部を有する帯状体を備える死者用顎弛緩防止器具であって、顎当て部に口元部を覆う覆い部を帯状体と一体的に設けたことを特徴とする、死者用顎弛緩防止器具。
【請求項２】
請求項１の死者用顎弛緩防止器具の帯状体において、帯状体の両端面の相接合する部位に、複数の面ファスナーを帯状体の方向に一部ずらして二列以上配置したことを特徴とする死者用顎弛緩防止器具。
【考案の詳細な説明】
【技術分野】
【０００１】
本発明は、死者用顎弛緩防止器具に関する。
【背景技術】
【０００２】
人は、死後、顎を支えている筋肉の弛緩作用により口が開き、その後、死後硬直によりそのままの状態となる。従来、この現象を防ぐために、死後、身内の者などが暫くの間、口の開きを手で押さえていたり、または、特開平８−７１１１２に示されるように口の開きを帯状の器具を用いて固定する方法が開示されている。しかし、前者の方法は、このような作業を深い悲しみの状況下で行うことはとても耐え切れないことであり、一方、後者の方法では顎にかかる部分が死者の状況により安定せず、確実に口元を固定できないことが検討の結果あった。
【特許文献１】特開平８−７１１１２  公報
【考案の開示】
【考案が解決しようとする課題】
【０００３】
本発明は、上記のような従来技術に対する問題を解決するために、簡単、確実に死後の口の開きを防止でき、かつ見栄え良くする死者用顎弛緩防止器具を提供することを目的とする。
【課題を解決するための手段】
【０００４】
本発明は、上記目的を達成させるためになされたもので、第１の発明は、頭当て部と顎当て部を有する帯状体を供えており、顎当て部に口元部を覆う覆い部と帯状体とを一体的に設けることにより各人の顎の形状に左右されることなく、確実に顎の弛緩を防止できるとともに、顎の締め付け部が隠れるようになるので見栄えも良くすることができるものである。
【０００５】
第２の発明は、第１の発明に加えて帯状体の両端面の相接合する部位に、複数の面ファスナーを帯状体の方向に一部位置をずらして２列以上配置し、必要な強度を保持しつつ容易に取り外し可能とならしめたことを特徴としている。当該器具の使用に当たっては、顎部の覆い部の内側にガーゼ等の補助部品を設置し、直接皮膚への接触を避けることも可能である。
【考案の効果】
【０００６】
以上、説明したように、本発明によれば、人の力を使わずに、死後、死者の口が開いたままの状態となるのを、簡単且つ確実に更に死者の尊厳を損なわず防ぐことができ、また、低コストにできる効果が得られる。
【考案を実施するための最良の形態】
【０００７】
顎当て部を顎にしっかりとあて左右の帯状体を頭部に向かい引っ張り上げるようにし、帯状体の左側端部を下に、右側端部を上にして面ファスナーでとめる。顎当て部と頭当て部の位置が安定している事を確認し固定することにより、死者の顎関節は口を閉じた状態で固定され、顎のしめつけ部が隠れるようになるので見ばえも良い。
【実施例】
【０００８】
以下、本発明の実施例を、図面を参照して説明するが、本発明は以下の実施例に限定されるものではなく、本発明の要旨の範囲で適宜変更実施できる。図は本発明に係わる死者用顎弛緩防止器具の実施例を示すもので、図１は実施例における装着前の斜視図、図２は実施例における装着後の斜視図である。各図において同一部分には同一符号を用いてある。
【０００９】
図１に示す口覆い部３は袋状をなしている。図２に示す装着後の斜視図より、口覆い部３は口を覆うことで見た目もやさしく、顎当て部１の喉側へのズレも防止できる。また、使用の際、顎当て部１にガーゼ又はさらし等をつけることにより、直接皮膚に接触することを避けて皮膚を保護する。使用後は、中性洗剤での洗浄後、酒精綿消毒をし、再度の利用が可能である。取り付け部は帯状体２の一方端部２aに設けられた帯状体面ファスナー４と帯状体２の他方端部２bに設けられた帯状体面ファスナー５とで構成されており、着脱はいたって簡単である。口覆い部及び、顎当て部の材質は特に限定されていないが、洗浄及び、消毒を施すことから通常、合成樹脂のものが好適である。
【００１０】
帯状体２は、顎を固定させる目的から、引っ張っても容易にちぎれず、伸縮性の小さいものがよく、一体物のほうが製造上も便利である。天然繊維布、合成繊維布等、可撓性を有するシート、不織布等の素材を用いることができる。
【図面の簡単な説明】
【００１１】
【図１】装着前の実施例の斜視図である。
【図２】装着後の実施例の斜視図である。
【符号の説明】
【００１２】
１  顎当て部
２a 帯状体２の一方端部
２  帯状体
２b 帯状体２の他方端部
３  口覆い部
４,５ 面ファスナー死者用顎弛緩防止器具
【図１】
0003140071.tif 000003
【図２】
0003140071.tif 000004
(57)【要約】      （修正有）【課題】廃棄又はあまり利用されなかった魚の皮を、栄養豊富な食品として加工し食材として提供する。【解決手段】魚の皮を水で洗浄し、天日乾燥の後、裁断、植物油で揚げ、さらに遠心分離器で油分を除き食材とする。洗浄した魚皮１を天日で自然乾燥することにより、多くのミネラル栄養分が増殖する、廃棄されていた魚皮が、食品として再生され食卓にあがり食されることにより、その経済効果が期待できる。せんべいのごとくぱりぱりとそのまま食してもよく、調味料として砕いて料理に使用することもできる。【選択図】図１
0003140047.tif 000002
【実用新案登録請求の範囲】
【請求項１】
魚の皮を水洗い洗浄し、天日干し乾燥を行い、適当の大きさに裁断し、植物油で揚げたのち、遠心分離器にて脱油し調味料を加えて成る加工食品
【考案の詳細な説明】
【技術分野】
【０００１】本考案は、魚皮を加工した食品に関する
【背景技術】
【０００２】魚皮は、廃棄又は魚骨等と一緒に粉砕し粉末として調味料等として使用されていた。
【考案の開示】
【考案が解決しようとする課題】
【０００３】魚皮を加工することにより、栄養豊富な食材を提供すること。
【課題を解決するための手段】
【０００４】魚皮には、塩分・汚泥・海草等の不純物が付着しているが、これらを水洗いしきれいにした後、天日にて乾燥し、食べ頃の大きさに裁断し、植物油で揚げて、さらに油分を遠心分離器で脱油することにより、より一層の食感が得られる加工食品となる。
【考案の効果】
【０００５】本考案は、従来廃棄されていた魚皮を使用し、魚皮に含まれる成分を有効活用し食感のある食材にするものである。
【考案を実施するための最良の形態】
【０００６】図３に示した作業工程により製造する。
（１）魚皮を水洗いする
（２）魚皮を天日乾燥させる。
（３）魚皮を裁断する
（４）魚皮を油で揚げる
（５）魚皮を脱油する
（６）調味料を加える。
【実施例】本考案の実施には、鱈の皮を用いた。【０００７】（１）魚皮を水洗いする
魚皮には、塩分・汚泥・海草類等の不純物が混入しているので、それらを洗浄しきれいにする。【０００８】（２）魚皮を天日乾燥させる
洗浄した魚皮を、天日で自然乾燥することにより、多くのミネラル栄養素が増殖する【０００９】（３）魚皮を裁断する
魚皮を食するに適当な大きさに裁断する。【００１０】（４）魚皮を植物油で揚げる
１８０度から２００度くらいの温度の植物油で揚げる。【００１１】（５）魚皮を脱油する
植物油で揚げた魚皮は、油分のために湿気分が多くなっている。
そのため油分を遠心分離器でとばし、からからのせんべい状態にし、食感を整える。【００１２】（６）調味料を加える
魚皮に、青のり・ごま・芥子・味塩等の調味料を振りかけ、図１・２にしめした食材とする。
【産業上の利用可能性】
【００１３】  加工食品を、財団法人  群馬県健康づくり財団に検査依頼した結果、次表の成果が得られた。
【表１】
0003140047.tif 000003
【００１４】  表１から本製品は、カルシュウム分が多く含まれ、その他の栄養素からコラーゲンたっぷりの栄養食品であることが分かる。
本製品は、せんべいのごとくぱりぱりとそのまま食してもよく、調味料として砕いて料理に使用することもできる。
図１・２に、本考案の形状を図示したが、一例であり形は均一でなく千差万別である。
廃棄されていた魚皮が、食品として再生され食卓にあがり食されることは、その経済効果は抜群である。
【図面の簡単な説明】
【００１５】
【図１】  本考案を示した平面図である。
【図２】  本考案を示した側面図である。
【図３】  本考案を示した工程図
【符号の説明】
【００１６】  ▲１▼  魚皮
▲２▼  鱗
【図１】
0003140047.tif 000004
【図２】
0003140047.tif 000005
【図３】
0003140047.tif 000006